(57)【要約】      （修正有）【課題】飲料水等の収容物が紙パックから漏れた時に、コンテナ内に溜まらないように排出可能な折り畳み式コンテナを提供する。【解決手段】底部２、上部枠３、互いに対向する２つの折り曲げ側壁４、および、互いに対向する２つの跳ね上げ側壁５から構成され、複数の紙パックを収容する折り畳み式コンテナであって、前記折り曲げ側壁４は、上端部が上部枠３に、下端部が底部２に回動可能に連結され、上下方向の中央でピン結合１１，１２，１３，１４により内側に折り曲げ可能に構成される。前記跳ね上げ側壁５は、上端部が前記上部枠に回動可能に連結されており、前記折り曲げ側壁４、前記跳ね上げ側壁および前記底部には補強用のリブが縦横に複数設けられており、前記底部は前記補強リブが網目状に配置され、前記補強リブに囲まれた部分に開口１７が形成されている。【選択図】図１
0003160358.tif 000002
【実用新案登録請求の範囲】
【請求項１】
底部、上部枠、互いに対向する２つの折り曲げ側壁、および、互いに対向する２つの跳ね上げ側壁から構成され、複数の紙パックを収容する折り畳み式コンテナであって、
前記折り曲げ側壁は、上端部が上部枠に、下端部が底部に回動可能に連結され、上下方向の中央でピン結合により内側に折り曲げ可能に構成され、
前記跳ね上げ側壁は、上端部が前記上部枠に回動可能に連結されており、
前記折り曲げ側壁、前記跳ね上げ側壁および前記底部には補強用のリブが縦横に複数設けられており、
前記底部は前記補強リブが網目状に配置され、前記補強リブに囲まれた部分に開口が形成されていることを特徴とする折り畳み式コンテナ。
【考案の詳細な説明】
【技術分野】
【０００１】
本考案は、複数の紙パック、例えば牛乳パック等を収容する折り畳み式コンテナに関する。
【背景技術】
【０００２】
様々な商品の運搬の際に、多種多様なコンテナが用いられており、不使用時にコンテナを収容するスペースを確保するために、折り畳み式のコンテナが用いられている。このような折り畳み式のコンテナには、様々な大きさや、折畳み方法を用いたものが存在する。
【考案の概要】
【考案が解決しようとする課題】
【０００３】
従来の折り畳み式コンテナには、様々な用途で用いられているが、通常の折り畳み式コンテナでは、飲料水等の紙パックを収容する際に、万が一水漏れが生じた時に、コンテナの底に液体が溜まってしまうという問題があった。
【０００４】
本考案は、飲料水等の収容物が紙パックから漏れた時に、コンテナ内に溜まらないように排出可能な可能な折り畳み式コンテナを提供することを目的とする。
【課題を解決するための手段】
【０００５】
本考案の折り畳み式コンテナは、底部、上部枠、互いに対向する２つの折り曲げ側壁、および、互いに対向する２つの跳ね上げ側壁から構成され、複数の紙パックを収容する折り畳み式コンテナであって、前記折り曲げ側壁は、上端部が上部枠に、下端部が底部に回動可能に連結され、上下方向の中央でピン結合により内側に折り曲げ可能に構成され、前記跳ね上げ側壁は、上端部が前記上部枠に回動可能に連結されており、前記折り曲げ側壁、前記跳ね上げ側壁および前記底部には補強用のリブが縦横に複数設けられており、前記底部は前記補強リブが網目状に配置され、前記補強リブに囲まれた部分に開口を設けることを特徴とする。
【考案の効果】
【０００６】
本考案の折り畳み式コンテナは、底部、上部枠、互いに対向する２つの折り曲げ側壁、および、互いに対向する２つの跳ね上げ側壁から構成され、複数の紙パックを収容する折り畳み式コンテナであって、前記折り曲げ側壁は、上端部が上部枠に、下端部が底部に回動可能に連結され、上下方向の中央でピン結合により内側に折り曲げ可能に構成され、前記跳ね上げ側壁は、上端部が前記上部枠に回動可能に連結されており、前記折り曲げ側壁、前記跳ね上げ側壁および前記底部には補強用のリブが縦横に複数設けられており、前記底部は前記補強リブが網目状に配置され、前記補強リブに囲まれた部分に開口を設けることにより、コンテナ内に収容された紙パックから飲料水等が漏れた場合にも、コンテナ内から漏れた飲料水等を前記開口から排出することが可能となる。
【図面の簡単な説明】
【０００７】
【図１】本考案の折り畳み式コンテナの斜視図である。
【図２】本考案の折り畳み式コンテナの底部の底面図である。
【図３】本考案の折り畳み式コンテナの折り畳みあるいは組み立て手順を示す概略図である。
【図４】本考案の折り畳み式コンテナの折り畳みあるいは組み立て手順を示す概略図である。
【考案を実施するための形態】
【０００８】
以下に、図を用いて本考案の折り畳み式コンテナ１の実施形態について説明する。
【０００９】
本考案の折り畳み式コンテナ１は、主に、牛乳パック等の飲料水用の紙パックを１ダース収容するのに用いられるコンテナであり、図１に示すように、底部２、上部枠３、互いに対向する２つの折り曲げ側壁４、および、互いに対向する２つの跳ね上げ側壁５から構成される。
【００１０】
前記折り曲げ側壁４は、上部壁７と下部壁８がピン結合１１を用いて互いに回動可能に結合されることで、中央で折り曲げ可能に構成されており、さらに、前記上部壁７の上端部がピン結合１２により上部枠３に、前記下部壁８の下端部がピン結合１３により底部２に回動可能に連結されている。そして、前記上部壁７の上端部は前記上部枠３の内側に位置し、前記下部壁８の下端部は前記底部２の枠２０の内側に位置することで、前記折り曲げ側壁４は外側に折り曲がるのが防止され、内側にだけ折り曲げ可能な構造となっている。
【００１１】
また、前記折り曲げ側壁４の側面には補強リブ９を縦横に設け、側面の厚さを薄くすることで、軽量化と強度の確保を行っている。そして、前記折り曲げ側壁４の上部壁７の上部には、上部枠３の一部を持ち手として使用するための開口１８となる切り欠きを設けている。さらに、補強リブ９で囲まれた範囲の一部に複数の開口１０を設けることでさらなる軽量化を行っている。そして、前記折り曲げ側壁４を内側に完全に折り曲げた時に、対向する２つの上部壁７は重ならずに並んだ状態で上部枠３内に収まり、対向する２つの下部壁８は重ならずに並んだ状態で底部２の枠２０内に収まる大きさとなっている。
【００１２】
前記跳ね上げ側壁５は、上端部が上部枠３にピン結合１４を用いて回動可能に連結され、下端部はフリーな状態となっている。前記跳ね上げ側壁５は、前記折り曲げ側壁４と同様に、補強リブ９を縦横に設けることで、軽量化と強度の確保を行い、そして、上部には、前記上部枠３の一部を持ち手として使用するための開口１７となる切り欠きを設けている。さらに、補強リブ９で囲まれた範囲の一部に複数の開口１０を設けることでさらなる軽量化を行っている。
【００１３】
前記跳ね上げ側壁５の上端部は前記上部枠３の内側に位置し、上部枠３よりも外側に回動するのが防止され、上部枠３の内側にだけ回動可能になっており、前記跳ね上げ側壁５を上方に跳ね上げて水平な状態へと回動した時には、対向する２つの跳ね上げ側壁５が互いに一部が重なり合った状態で前記上部枠３内に収まる。さらに、前記折り曲げ側壁４を完全に折り曲げた時には、前記折り曲げ側壁４の２つの上部壁７が前記跳ね上げ側壁５の下に位置する状態となる。
【００１４】
前記上部枠３は、前記折り曲げ側壁４の１つの上部壁７と２つの跳ね上げ側壁５を収容するために、所定の高さを有しており、側面は補強リブ９によって補強されている。また、前記折り曲げ側壁４の上部壁７に設けた切り欠きと繋がり開口１８を形成する切り欠き、および、前記跳ね上げ側壁５に設けた切り欠きと繋がり開口１７を形成する切り欠きを設けることで、前記上部枠３の一部が持ち手として使用される。
【００１５】
前記底部２は、枠２０と底面２１から構成され、前記枠２０に前記折り曲げ側壁４の下部壁８がピン結合１３により回動可能に連結されている。そして、前記底面２１には網目状に補強リブ２２が設けられており、前記補強リブ２２に囲まれた部分に開口２３が設けられている。これにより、前記底部２の底面２１は網目状に形成されている。また、前記底面２１の４隅の補強リブ２２の一部を、周囲よりも高くすることで、脚２４を形成する。これにより、前記折り畳み式コンテナ１の底面に隙間を設けることができる。
【００１６】
前記底部２の底面を網目状に形成することにより、折り畳み式コンテナ１に収容した、例えば牛乳パックから牛乳が漏れたり、あるいは牛乳パックの表面の水滴が下に落ちたりした時に、水分が折り畳み式コンテナ１内に溜まらずに外部へと排出することが可能となる。
【００１７】
次に、折り畳み式コンテナ１の使用方法について図３，４を用いて説明する。図３，４では、補強リブ９等の詳細を省略した概略図としている。図３（ａ）に示すように、使用状態では、折り畳み式コンテナ１は、底部２と上部枠３の間に、互いに対向する２つの折り曲げ側壁４、および、互いに対向する２つの跳ね上げ側壁５が起立した状態となっている。この時、互いに対向する２つの折り曲げ側壁４に前記跳ね上げ側壁５が挟まれた状態となっているので、前記折り曲げ側壁４を内側に折り曲げることはできない。これにより、前記折り曲げ側壁４の起立状態が保たれている。
【００１８】
また、前記折り曲げ側壁４と前記跳ね上げ側壁５が係合するように、前記折り曲げ側壁４の左右と前記跳ね上げ側壁５の左右に係合部を設けている。係合部としてはここでは、前記折り曲げ側壁４の上部および下部の左右に設けた爪部１５と前記跳ね上げ側壁５の左右に上下２ヶ所に設けた凹部１６とが互いに係合する構造を用いている。前記折り曲げ側壁４が起立した状態で、前記跳ね上げ側壁５が下方へと回動すると、前記凹部と前記詰め部が係合する。このようにして、折り畳み式コンテナ１は使用状態が保たれている。
【００１９】
図３（ａ）の状態から、前記折り畳み式コンテナ１を折り畳む時には、まず、図３（ｂ）に示すように、前記係合部の係合を解除して前記跳ね上げ側壁５を上方へと回動させて跳ね上げる。２つの跳ね上げ側壁５が重なり合って前記上部枠３内に収まると、前記折り曲げ側壁４は内側に折り曲げ可能な状態となる。そこで、図４（ａ）に示すように、前記上部壁７と前記下部壁８を互いに回動させて前記折り曲げ側壁４を内側に折り曲げる。
【００２０】
すると、上部枠３が下方へと移動し、前記折り曲げ側壁４の下部壁８は底部２の枠２０内へ、上部壁７は上部枠３内へと収容され、前記上部枠３内で２つの上部壁７と２つの跳ね上げ側壁５が重なり合って収納されれた状態となる。そして、前記上部枠３と前記底部２の枠２０が接して、図４（ｂ）に示すように、前記折り畳み式コンテナ１が完全に折り畳まれた状態となる。
【００２１】
次に、図４（ｂ）に示すような折り畳まれた状態の折り畳み式コンテナ１を使用状態へと組み立てる手順について説明する。まず初めに、図４（ａ）に示すように、前記上部枠３を上方へ持ちあげながら、上部壁７と下部壁８を互いに回動させて前記折り曲げ側壁４を垂直な状態へと起立させる。すると、前記折り曲げ側壁４によって回動が阻止されていた前記跳ね上げ側壁５が回動可能になり、図３（ｂ）に示すように、自重によって下方へと回動して、前記跳ね上げ側壁５が起立した状態となる。そして、前記跳ね上げ側壁５の凹部１６と前記折り曲げ側壁４の爪部１５を係合させると、図３（ａ）に示すような状態となり、前記折り畳み式コンテナ１の組み立てが完了する。
【００２２】
このようにして組み立てた折り畳み式コンテナ１を、例えば牛乳パックを６個収容するのに使用することができる。そして、収容した牛乳パックから牛乳が漏れた場合は、前記底部２に設けた開口により、折り畳み式コンテナ１内に牛乳が溜まるのを防ぐことができる。
【符号の説明】
【００２３】
１    折り畳み式コンテナ
２    底部
３    上部枠
４    折り曲げ側壁
５    跳ね上げ側壁
７    上部壁
８    下部壁
９    補強リブ
１０  開口
１１  ピン結合
１２  ピン結合
１３  ピン結合
１４  ピン結合
１５  爪部
１６  凹部
１７  開口
１８  開口
２０  枠
２１  底面
２２  補強リブ
２３  開口
２４  脚
【図１】
0003160358.tif 000003
【図２】
0003160358.tif 000004
【図３】
0003160358.tif 000005
【図４】
0003160358.tif 000006